(57)【要約】【課題】建築物の基礎構造における地中梁の上方に露出するフカシ筋等の鉄筋の配列がコンクリート打設時に乱れることを確実に防止すると共に、フカシ筋用スタラップ筋と主筋用スタラップ筋との間隔を容易に調節することができ、かつ、フカシ筋用スタラップ筋と主筋用スタラップ筋との間に容易に取り付けることができるフカシ筋支持具を提供する。【解決手段】主筋３を受ける主筋受け部５を備えた主筋側部材７と、フカシ筋９を受けるフカシ筋受け部１１を備えたフカシ筋側部材１３とを有し、該主筋側部材と該フカシ筋側部材とを主筋受け部とフカシ筋受け部との間隔が調節自在になるように相互に組合せ、該主筋側部材と該フカシ筋側部材とのいずれか一方には連続するボルト挿通孔を形成し、該主筋側部材と該フカシ筋側部材との他方には螺孔を形成し、ボルト１９を該ボルト挿通孔に挿通すると共に該螺孔に螺合させる。【選択図】図１
0003138131.tif 000002
【実用新案登録請求の範囲】
【請求項１】
主筋を受ける主筋受け部を備えた主筋側部材と、フカシ筋を受けるフカシ筋受け部を備えたフカシ筋側部材とを有し、
該主筋側部材と該フカシ筋側部材とを主筋受け部とフカシ筋受け部との間隔が調節自在になるように相互に組合せ、該主筋側部材と該フカシ筋側部材とのいずれか一方には連続するボルト挿通孔を形成し、該主筋側部材と該フカシ筋側部材との他方には螺孔を形成し、ボルトを該ボルト挿通孔に挿通すると共に該螺孔に螺合させるようにしたことを特徴とするフカシ筋支持具。
【請求項２】
フカシ筋を受けるフカシ筋受け部を備えた雄ねじ杆と、主筋を受ける主筋受け部を備えた雌ねじ部材とを有し、
該雄ねじ杆を該雌ねじ部材にフカシ筋受け部と主筋受け部との間隔が調節自在になるように螺合し、該雄ねじ杆に締め付けナットを備えさせたことを特徴とするフカシ筋支持具。
【考案の詳細な説明】
【技術分野】
【０００１】
本考案は、フカシ筋支持具に関するものであり、更に詳しくは、建築物の基礎構造における地中梁の上方に露出するフカシ筋等の鉄筋の配列がコンクリート打設時に乱れることを防止するために、フカシ筋を地中梁の主筋に支持させるようにしたフカシ筋支持具に係るものである。
【背景技術】
【０００２】
特開平１０−５４０３９号公報に示すように、地中梁内には複数本の水平な主筋が埋め込まれ、該主筋はその長さ方向に所定の間隔を置いて配設された略長方形状をなすループ状の主筋用スタラップ筋により結束されている。
【０００３】
しかして、地中梁には長さ方向に所定の間隔を置いてフカシ筋用スタラップ筋をその上部が地中梁の上方に突出するように配設し、各フカシ筋用スタラップ筋を針金を介して主筋用スタラップ筋に結束し、該フカシ筋用スタラップ筋にフカシ筋を結束する場合がある。
【特許文献１】特開平１０−５４０３９号公報
【考案の開示】
【考案が解決しようとする課題】
【０００４】
上記の場合、各フカシ筋用スタラップ筋は針金を介して主筋用スタラップ筋に結束されているに過ぎないため、コンクリート打設時に該フカシ筋用スタラップ筋の配列が乱れ、フカシ筋の水平が確保されないおそれがある。
【０００５】
また、フカシ筋用スタラップ筋を針金を介して主筋用スタラップ筋に結束する作業は面倒であり、特にフカシ筋用スタラップ筋と主筋用スタラップ筋との間隔、すなわち、フカシ筋と主筋との間隔を調節することが困難である。
【０００６】
本考案は、上述の如き問題を解決し、建築物の基礎構造における地中梁の上方に露出するフカシ筋等の鉄筋の配列がコンクリート打設時に乱れることを確実に防止すると共に、フカシ筋用スタラップ筋と主筋用スタラップ筋との間隔を容易に調節することができ、かつ、フカシ筋用スタラップ筋と主筋用スタラップ筋との間に容易に取り付けることができるようにしたフカシ筋支持具を提供しようとしてなされたものである。
【課題を解決するための手段】
【０００７】
上記課題を解決するために、本考案は下記のフカシ筋支持具を提供する。
【０００８】
（１）主筋を受ける主筋受け部を備えた主筋側部材と、フカシ筋を受けるフカシ筋受け部を備えたフカシ筋側部材とを有し、
該主筋側部材と該フカシ筋側部材とを主筋受け部とフカシ筋受け部との間隔が調節自在になるように相互に組合せ、該主筋側部材と該フカシ筋側部材とのいずれか一方には連続するボルト挿通孔を形成し、該主筋側部材と該フカシ筋側部材との他方には螺孔を形成し、ボルトを該ボルト挿通孔に挿通すると共に該螺孔に螺合させるようにしたことを特徴とするフカシ筋支持具（請求項１）。
【０００９】
（２）フカシ筋を受けるフカシ筋受け部を備えた雄ねじ杆と、主筋を受ける主筋受け部を備えた雌ねじ部材とを有し、
該雄ねじ杆を該雌ねじ部材にフカシ筋受け部と主筋受け部との間隔が調節自在になるように螺合し、該雄ねじ杆に締め付けナットを備えさせたことを特徴とするフカシ筋支持具（請求項２）。
【考案の効果】
【００１０】
［請求項１の考案］
主筋側部材の主筋受け部に主筋を受けさせ、フカシ筋側部材のフカシ筋受け部にフカシ筋を受けさせた状態でフカシ筋支持具を主筋とフカシ筋との間に取り付けたときには、建築物の基礎構造における地中梁の上方に露出するフカシ筋等の鉄筋の配列がコンクリート打設時に乱れることが確実に防止される。また、フカシ筋支持具を主筋とフカシ筋との間に取り付ける作業は極めて簡単であり、主筋とフカシ筋との間隔に応じて主筋受け部とフカシ筋受け部との間隔を調整することも容易である。
【００１１】
［請求項２の考案］
雌ねじ部材の主筋受け部に主筋を受けさせ、雄ねじ杆のフカシ筋受け部にフカシ筋を受けさせた状態でフカシ筋支持具を主筋とフカシ筋との間に取り付けたときには、建築物の基礎構造における地中梁の上方に露出するフカシ筋等の鉄筋の配列がコンクリート打設時に乱れることが確実に防止される。また、フカシ筋支持具を主筋とフカシ筋との間に取り付ける作業は極めて簡単であり、主筋とフカシ筋との間隔に応じて主筋受け部とフカシ筋受け部との間隔を調整することも容易である。
【考案を実施するための最良の形態】
【００１２】
まず、図１〜図５に示す事例について説明する。この事例におけるフカシ筋支持具は、地中梁１の主筋３を受ける主筋受け部５を備えた主筋側部材７と、フカシ筋９を受けるフカシ筋受け部１１を備えたフカシ筋側部材１３とを有する。なお、図１においては、１本の主筋３と１本のフカシ筋９との間に配設したフカシ筋支持具のみを示し、他の主筋３と他のフカシ筋９との間に配設したフカシ筋支持具は示していない。
【００１３】
主筋受け部５は、一例として、略樋状体を上下反転させてなるものとし、好ましくは弾性を備えている。図示の主筋受け部５は、主筋側部材７の下端に備えさせている。図示の主筋側部材７は、弾性材料により、主筋受け部５と一体に形成されている。
【００１４】
フカシ筋受け部１１は、一例として、略樋状体とする。図示のフカシ筋受け部１１は、フカシ筋側部材１３の上端に備えさせている。図示のフカシ筋側部材１３は、フカシ筋受け部１１と一体に形成されている。
【００１５】
主筋側部材７とフカシ筋側部材１３とを主筋受け部５とフカシ筋受け部１１との間隔が調節自在になるように相互に組合せる。
【００１６】
すなわち、一例として、主筋側部材７の両縁７ａ、７ａを片面側に折り返し、該両縁７ａ、７ａ間にフカシ筋側部材１３を摺嵌する。
【００１７】
主筋側部材７とフカシ筋側部材１３とのいずれか一方にはその長さ方向に連続するボルト挿通孔１５を形成し、主筋側部材７とフカシ筋側部材１３との他方には螺孔１７を形成する。
【００１８】
図示の事例においては、フカシ筋側部材１３にボルト挿通孔１５を形成し、主筋側部材７に螺孔１７を形成している。
【００１９】
ボルト１９をフカシ筋側部材１３のボルト挿通孔１５に挿通すると共に主筋側部材７の螺孔１７に螺合させる。符号１８に示すものは、ボルト１９に螺合させた締め付けナットである。
【００２０】
符号２０に示すものは主筋用スタラップ筋であり、符号２１に示すものはフカシ筋用スタラップ筋である。
【００２１】
次に、図６に示す事例について説明する。この事例におけるフカシ筋支持具は、フカシ筋９を受けるフカシ筋受け部１１を備えた雄ねじ杆２３と、地中梁１の主筋３を受ける主筋受け部５を備えた雌ねじ部材２５とを有する。雄ねじ杆２３は、丸棒の外面に雄ねじを刻設してなるものである。雌ねじ部材２５は筒状体の内面に雄ねじ杆２３の雄ねじに対応する雌ねじを形成してなるものである。なお、図６においては、１本の主筋３と１本のフカシ筋９との間に配設したフカシ筋支持具のみを示し、他の主筋３と他のフカシ筋９との間に配設したフカシ筋支持具は示していない。
【００２２】
フカシ筋受け部１１は、前記事例におけるフカシ筋受け部１１と同様に、一例として、略樋状体とする。図示のフカシ筋受け部１１は、雄ねじ杆２３の上端に固定されている。
【００２３】
主筋受け部５は、前記事例における主筋受け部５と同様に、一例として、略樋状体を上下反転させてなるものとし、好ましくは弾性を備えている。図示の主筋受け部５は、雌ねじ部材２５の下端に固定されている。
【００２４】
雄ねじ杆２３を雌ねじ部材２５にフカシ筋受け部１１と主筋受け部５との間隔が調節自在になるように螺合する。
【００２５】
雄ねじ杆２３には締め付けナット２７を備えさせる。締め付けナット２７は雄ねじ杆２３に螺合する。
【図面の簡単な説明】
【００２６】
【図１】本考案によるフカシ筋支持具の一例の使用状態を示す断面図である。
【図２】同上フカシ筋支持具の側面図である。
【図３】フカシ筋側部材の正面図である。
【図４】主筋側部材の正面図である。
【図５】同上フカシ筋支持具の断面図である。
【図６】本考案によるフカシ筋支持具の別の一例の使用状態を示す断面図である。
【符号の説明】
【００２７】
１  地中梁
３  主筋
５  主筋受け部
７  主筋側部材
７ａ  縁
９  フカシ筋
１１  フカシ筋受け部
１３  フカシ筋側部材
１５  ボルト挿通孔
１７  螺孔
１８  締め付けナット
１９  ボルト
２０  主筋用スタラップ筋
２１  フカシ筋用スタラップ筋
２３  雄ねじ杆
２５  雌ねじ部材
２７  締め付けナット
【図１】
0003138131.tif 000003
【図２】
0003138131.tif 000004
【図３】
0003138131.tif 000005
【図４】
0003138131.tif 000006
【図５】
0003138131.tif 000007
【図６】
0003138131.tif 000008